(57)【要約】  画像の切り替えがあるときの視覚的な安全性を確保する。  ノンリニア再生によって画像の切り替えがあるとき、その画像の画素統計情報に基づいて、過渡表示期間の間、表示特性を、輝度レベルを通常より低く抑える過渡表示特性に切り替える。例えば、電光変換特性を過渡特性に制御するか、あるいはバックライトの輝度レベルを抑制する。
2019073990.tif 000002
【特許請求の範囲】
【請求項１】
画像の切り替えがあるとき、上記画像の画素統計情報に基づいて、過渡表示期間の間、表示特性を、輝度レベルを通常より低く抑える過渡表示特性に切り替える制御部を備える
画像処理装置。
【請求項２】
上記画素統計情報は、閾値レベルを越える画素の画像全体に対する割合を示す情報である
請求項１に記載の画像処理装置。
【請求項３】
上記制御部は、画像データを処理して得られる上記画素統計情報を利用する
請求項１に記載の画像処理装置。
【請求項４】
上記制御部は、上記画素統計情報に基づいて得られる上記過渡表示期間の情報を利用する
請求項１に記載の画像処理装置。
【請求項５】
上記制御部は、符号化画像データから抽出された上記画素統計情報または上記過渡表示期間の情報を利用する
請求項１に記載の画像処理装置。
【請求項６】
上記過渡表示特性として複数段階の過渡表示特性が存在し、
上記制御部は、上記過渡表示期間の間、上記複数段階の過渡表示特性を順に適用する
請求項１に記載の画像処理装置。
【請求項７】
上記制御部は、上記過渡表示期間の間、画像データに適用される電光変換の特性を過渡特性にする
請求項１に記載の画像処理装置。
【請求項８】
上記制御部は、上記過渡表示期間の間、表示デバイスのバックライトの輝度レベルを通常より低く抑える
請求項１に記載の画像処理装置。
【請求項９】
制御部が、画像の切り替えがあるとき、上記画像の画素統計情報に基づいて、過渡表示期間の間、表示特性を、輝度レベルを通常より低く抑える過渡表示特性に切り替える
画像処理方法。
【請求項１０】
画像データを符号化して得られたビデオストリームを送信する送信部と、
上記ビデオストリームに、画像の切り替えがあるときに表示特性を過渡表示期間の間輝度レベルを通常より低く抑える過渡表示特性に切り替えるか判断するための画素統計情報を挿入する情報挿入部を備える
送信装置。
【請求項１１】
上記画素統計情報は、閾値レベルを越える画素の画像全体に対する割合を示す情報である
請求項１０に記載の送信装置。
【請求項１２】
上記情報挿入部は、上記ビデオストリームに、上記過渡表示期間の情報をさらに挿入する
請求項１０に記載の送信装置。
【請求項１３】
上記情報挿入部は、上記ビデオストリームに、上記過渡表示期間の間動画像データに適用される電光変換の過渡特性の情報をさらに挿入する
請求項１０に記載の送信装置。
【請求項１４】
上記電光変換の過渡特性の情報は、通常の電光変換特性のうちの変更範囲に対応したテーブル情報である
請求項１３に記載の送信装置。
【請求項１５】
上記過渡特性として複数段階の過渡特性が存在する
請求項１３に記載の送信装置。
【請求項１６】
送信部が、画像データを符号化して得られたビデオストリームを送信し、
情報挿入部が上記ビデオストリームに、画像の切り替えがあるときに表示特性を過渡表示期間の間輝度レベルを通常より低く抑える過渡表示特性に切り替えるか判断するための画素統計情報を挿入する
送信方法。
【請求項１７】
画像の切り替えがあるときに表示特性を過渡表示期間の間輝度レベルを通常より低く抑える過渡表示特性に切り替えるか判断するための画素統計情報を記画像データと共に送信するデジタルインタフェース部を備える
送信装置。
【請求項１８】
上記デジタルインタフェース部は、上記過渡表示期間の間画像データに適用される電光変換の過渡特性の情報をさらに送信する
請求項１７に記載の送信装置。
【請求項１９】
上記電光変換の過渡特性の情報は、通常の電光変換特性のうちの変更範囲に対応したテーブル情報である
請求項１８に記載の送信装置。
【請求項２０】
画像の切り替えがあるときに表示特性を過渡表示期間の間輝度レベルを通常より低く抑える過渡表示特性に切り替えるか判断するための画素統計情報を画像データと共に受信するデジタルインタフェース部を備える
受信装置。
【発明の詳細な説明】
【技術分野】
【０００１】
本技術は、画像処理装置、画像処理方法、送信装置、送信方法および受信装置に関し、特に、画像の切り替えがあるときの視覚的な安全性を確保する画像処理装置等に関する。
【背景技術】
【０００２】
例えば、非特許文献１には、０〜１００％＊Ｎ（Ｎは１より大きい）のレベル範囲を持つＨＤＲ（High Dynamic Range）画像を送信することなどが記載されている。
【先行技術文献】
【非特許文献】
【０００３】
【非特許文献１】High Efficiency Video Coding (HEVC) ITU-T H.265 規格
【発明の概要】
【発明が解決しようとする課題】
【０００４】
ＨＤＲ画像において、きらめき成分は表示の際に高輝度表示につながる。制作側で確認済みのリニアな再生においては問題なく表示されることが前提となる。しかし、受信側において、チャネル切り替え、ランダムアクセス、システム起動、ＣＭ挿入などのノンリニア再生で画像の切り換わりがあるときに切り替わり後の画像が非常に明るいものとなった場合には視覚的な安全性を脅かす可能性がある。【０００５】
本技術の目的は、画像の切り替えがあるときの視覚的な安全性を確保することにある。
【課題を解決するための手段】
【０００６】
本技術の概念は、
画像の切り替えがあるとき、上記画像の画素統計情報に基づいて、過渡表示期間の間、表示特性を、輝度レベルを通常より低く抑える過渡表示特性に切り替える制御部を備える
画像処理装置にある。【０００７】
本技術において、制御部により、画像の切り替えがあるとき、その画像の画素統計情報に基づいて、過渡表示期間の間、表示特性が輝度レベルを通常より低く抑える過渡表示特性に切り替えられる。例えば、画素統計情報は、閾値レベルを越える画素の画像全体に対する割合を示す情報である、ようにされてもよい。この割合により、画像が非常に明るいものか否かの判断が可能となる。【０００８】
例えば、制御部は、画像データを処理して得られる画素統計情報を利用するようにされてもよい。また、例えば、制御部は、画素統計情報に基づいて得られる過渡表示期間の情報を利用する、ようにされてもよい。また、例えば、制御部は、符号化画像データから抽出された画素統計情報または過渡表示期間の情報を利用する、ようにされてもよい。この場合、処理負荷の低減が可能となる。【０００９】
また、例えば、過渡表示特性として複数段階の過渡表示特性が存在し、制御部は、過渡表示期間の間、複数段階の過渡表示特性を順に適用する、ようにされてもよい。この場合、過渡表示特性から通常表示特性への移行をスムーズに行うことが可能となる。【００１０】
また、例えば、制御部は、過渡表示期間の間、画像データに適用される電光変換の特性を過渡特性にする、ようにされてもよい。また、例えば、制御部は、過渡表示期間の間、表示デバイスのバックライトの輝度レベルを通常より低く抑える、ようにされてもよい。【００１１】
このように本技術においては、画像の切り替えがあるとき、その画像の画素統計情報に基づいて、過渡表示期間の間、表示特性を、輝度レベルを通常より低く抑える過渡表示特性に切り替えるものである。そのため、画像の切り替えがあるときの視覚的な安全性を確保することが可能となる。【００１２】
また、本技術の他の概念は、
画像データを符号化して得られたビデオストリームを送信する送信部と、
上記ビデオストリームに、画像の切り替えがあるときに表示特性を過渡表示期間の間輝度レベルを通常より低く抑える過渡表示特性に切り替えるか判断するための画素統計情報を挿入する情報挿入部を備える
送信装置にある。【００１３】
本技術において、送信部により、画像データを符号化して得られたビデオストリームが送信される。この場合、情報挿入部により、ビデオストリームに、画像の切り替えがあるときに表示特性を過渡表示期間の間輝度レベルを通常より低く抑える過渡表示特性に切り替えるか判断するための画素統計情報が挿入される。例えば、画素統計情報は、閾値レベルを越える画素の画像全体に対する割合を示す情報である、ようにされてもよい。【００１４】
また、例えば、情報挿入部は、ビデオストリームに、過渡表示期間の情報をさらに挿入する、ようにされてもよい。この場合、受信側において、過渡表示期間を算出する手間を省くことが可能となる。また、例えば、情報挿入部は、ビデオストリームに、過渡表示期間の間画像データに適用される電光変換の過渡特性の情報をさらに挿入する、ようにされてもよい。これにより、受信側において、電光変換の過渡特性の情報を備えていなくても電光変換の過渡特性に切り替えることが可能となる。【００１５】
この場合、例えば、電光変換の過渡特性の情報は、通常の電光変換特性のうちの変更範囲に対応したテーブル情報である、ようにされてもよい。これにより、送信情報量の低減が可能となる。また、この場合、例えば、過渡特性として複数段階の過渡特性が存在する、ようにされてもよい。これにより、受信側において、過渡特性から通常特性への移行をスムーズに行うことが可能となる。【００１６】
このように本技術においては、画像の切り替えがあるときに表示特性を過渡表示期間の間輝度レベルを通常より低く抑える過渡表示特性に切り替えるか判断するための画素統計情報を、画像データを符号化して得られたビデオストリームに挿入して送信するものである。そのため、受信側において、画像の切り替えがあるときに表示特性を過渡表示期間の間輝度レベルを通常より低く抑える過渡表示特性に切り替えるか判断するために画素統計情報を算出する手間を省くことが可能となる。【００１７】
また、本技術の他の概念は、
画像の切り替えがあるときに表示特性を過渡表示期間の間輝度レベルを通常より低く抑える過渡表示特性に切り替えるか判断するための画素統計情報を画像データと共に送信するデジタルインタフェース部を備える
送信装置にある。【００１８】
本技術において、デジタルインタフェース部により、画像の切り替えがあるときに表示特性を過渡表示期間の間輝度レベルを通常より低く抑える過渡表示特性に切り替えるか判断するための画素統計情報が画像データと共に送信される。【００１９】
例えば、デジタルインタフェース部は、過渡表示期間の間画像データに適用される電光変換の過渡特性の情報をさらに送信する、ようにされてもよい。これにより、受信側において、電光変換の過渡特性の情報を備えていなくても電光変換の過渡特性に切り替えることが可能となる。そして、この場合、電光変換の過渡特性の情報は、通常の電光変換特性のうちの変更範囲に対応したテーブル情報である、ようにされてもよい。これにより、送信情報量の低減が可能となる。【００２０】
このように本技術においては、画像の切り替えがあるときに表示特性を過渡表示期間の間輝度レベルを通常より低く抑える過渡表示特性に切り替えるか判断するための画素統計情報を画像データと共にデジタルインタフェース部で送信するものである。そのため、受信側において、画像の切り替えがあるときに表示特性を過渡表示期間の間輝度レベルを通常より低く抑える過渡表示特性に切り替えるか判断するために画素統計情報を算出する手間を省くことが可能となる。【００２１】
また、本技術の他の概念は、
画像の切り替えがあるときに表示特性を過渡表示期間の間輝度レベルを通常より低く抑える過渡表示特性に切り替えるか判断するための画素統計情報を画像データと共に受信するデジタルインタフェース部を備える
受信装置にある。【００２２】
本技術において、デジタルインタフェース部により、画像の切り替えがあるときに表示特性を過渡表示期間の間輝度レベルを通常より低く抑える過渡表示特性に切り替えるか判断するための画素統計情報が画像データと共に受信される。そのため、画像の切り替えがあるときに表示特性を過渡表示期間の間輝度レベルを通常より低く抑える過渡表示特性に切り替えるか判断するために画素統計情報を算出する手間を省くことが可能となる。
【発明の効果】
【００２３】
本技術によれば、画像の切り替えがあるときの視覚的な安全性を確保できる。なお、ここに記載された効果は必ずしも限定されるものではなく、本開示中に記載されたいずれかの効果であってもよい。
【図面の簡単な説明】
【００２４】
【図１】実施の形態としての送受信システムの構成例を示すブロック図である。
【図２】チャネル切り替えにより画像がチャネルＡのものからチャネルＢのものに切り替えられる場合の制御例を示す図である。
【図３】ＨＤＲ特性（ＨＬＧ）とＴｙｐｅ１，Ｔｙｐｅ２，Ｔｙｐｅ３の過渡特性（ＴＲＴＦ）の一例を示す図である。
【図４】ＨＤＲ特性（ＰＱ）とＴｙｐｅ１，Ｔｙｐｅ２，Ｔｙｐｅ３の過渡特性（ＴＲＴＦ）の一例を示す図である。
【図５】チャネル切り替えにより画像がチャネルＡのものからチャネルＢのものに切り替えられる場合であって、切り替え直後の一定期間はブラックあるいはグレイ画が表示される場合の制御例を示す図である。
【図６】システム起動（パワーオン）、あるいはランダムアクセスにより画像が切り替えられる場合の制御例を示す図である。
【図７】システム起動（パワーオン）、あるいはランダムアクセスにより画像が切り替えられる場合であって、切り替え直後の一定期間はブラックあるいはグレイ画が表示される場合の制御例を示す図である。
【図８】ＣＭと番組本編の切り替わりで画像が切り替えられる場合の制御例を示す図である。
【図９】送信装置の構成例を示すブロック図である。
【図１０】画像全部についてのヒストグラムの一例を示す図である。
【図１１】トランジション・トランスファー・ファンクション・ＳＥＩメッセージの挿入箇所を説明するための図である。
【図１２】スタティスチカル・インフォメーション・ＳＥＩメッセージの構造例と、その構造例における主要な情報の内容を示す図である。
【図１３】トランジション・トランスファー・ファンクション・ＳＥＩメッセージの構造例と、その構造例における主要な情報の内容を示す図である。
【図１４】受信装置の構成例を示すブロック図である。
【図１５】ノンリニア再生によって画像の切り替えが行われる場合における制御部による電光変換部の制御手順の一例を示すフローチャートである。
【図１６】切り替え前の画像との関連性を考慮する場合の制御の一例を説明するための図である。
【図１７】ノンリニア再生によって画像の切り替えが行われる場合における制御部による電光変換部の制御手順の他の一例を示すフローチャートである。
【図１８】バックライト制御により過渡表示特性を達成する受信装置の構成例を示すブロック図である。
【図１９】送受信システムの他の構成例を示すブロック図である。
【図２０】セットトップボックスの構成例を示すブロック図である。
【図２１】トランジショナル・ディスプレイ・コントロール・ＨＤＭＩインフォフレームの構造例と、その構造例における主要な情報の内容を示す図である。
【図２２】トランジション・トランスファー・ファンクション・ＨＤＭＩインフォフレームの構造例と、その構造例における主要な情報の内容を示す図である。
【図２３】モニタの構成例を示すブロック図である。
【図２４】セットトップボックスの他の構成例を示すブロック図である。
【図２５】モニタの他の構成例を示すブロック図である。
【発明を実施するための形態】
【００２５】
以下、発明を実施するための形態（以下、「実施の形態」とする）について説明する。なお、説明は以下の順序で行う。
１．実施の形態
２．変形例
【００２６】
＜１．実施の形態＞
［送受信システム］
図１は、実施の形態としての送受信システム１０の構成例を示している。この送受信システム１０は、送信装置１００と受信装置２００を有する構成となっている。
【００２７】
送信装置１００は、画像データがＨ．２６４／ＡＶＣ、Ｈ．２６５／ＨＥＶＣなどにより符号化されて得られたビデオストリームを放送あるいは通信により送信する。ビデオストリームには、画像の切り替えがあるときに表示特性を過渡表示期間の間輝度レベルを通常より低く抑える過渡表示特性に切り替えるか判断するための画素統計情報が挿入される。
【００２８】
この画素統計情報は、例えば、閾値レベルを越える画素の画像全体に対する割合を示す情報とされる。このようにビデオストリームに画素統計情報が挿入されることで、受信側において、画像の切り替えがあるときに表示特性を過渡表示期間の間輝度レベルを通常より低く抑える過渡表示特性に切り替えるか判断するために画素統計情報を算出する手間を省くことが可能となる。
【００２９】
本実施の形態においては、表示デバイス（ディスプレイ）の輝度表示能力をチェックしたうえで、輝度表示可能な範囲に表示レベルの変換を行うような機能とは別に、受信機での画像の切り替えが生じたときに、過渡期間の電光変換特性を選択する機能を持つものであり、それにより、過渡表示期間の間輝度レベルを通常より低く抑える過渡表示特性に切り替えるものである。加えて、画素統計情報をビデオストリームに挿入することで、過渡期間の表示に切り替えるかの判断を行うために画素統計情報を再生側で算出する手間を省くことが可能となる。
【００３０】
また、ビデオストリームには、上述の画素統計情報の他に、過渡表示期間の情報が挿入される。これにより、受信側において、過渡表示期間を算出する手間を省くことが可能となる。また、ビデオストリームには、さらに、過渡表示期間の間所定の動画像データに適用される電光変換の過渡特性の情報が挿入される。これにより、受信側において、電光変換の過渡特性の情報を備えていなくても電光変換の過渡特性に切り替えることが可能となる。この場合、例えば、電光変換の過渡特性の情報は、通常の電光変換特性のうちの変更範囲に対応したテーブル情報とされる。これにより、送信情報量の低減が可能となる。また、過渡特性は、一つであってもよいが、この実施の形態においては、複数段階の過渡特性とされる。これにより、受信側において、過渡特性から通常特性への移行をスムーズに行うことが可能となる。
【００３１】
この実施の形態において、上述した画素統計情報、過渡表示期間の情報、電光変換の過渡特性の情報などを含むＳＥＩメッセージがビデオストリームに挿入される。この実施の形態において、例えば、画素統計情報や過渡表示期間の情報を含めるスタティスチカル・インフォメーション・ＳＥＩメッセージ（Statistical_Information SEI Message）と、電光変換の過渡特性の情報を含めるトランジション・トランスファー・ファンクション・ＳＥＩメッセージ（Transition_Transfer_Function SEI Message）が、新たに定義される。
【００３２】
受信装置２００は、所定の動画像データがＨ．２６４／ＡＶＣ、Ｈ．２６５／ＨＥＶＣなどにより符号化されて得られたビデオストリームを放送あるいは通信により受信する。受信装置２００は、受信されたビデオストリームを復号化して所定の動画像データを得、この所定の動画像データによる画像を得る。例えば、受信装置２００は、受信されたビデオストリームを直接復号化して画像再生を行うことも可能であるが、記録再生部を経た後に復号化して画像再生を行うことも可能である。
【００３３】
受信装置２００は、画像の切り替えがあるとき、その画像の画素統計情報に基づいて、過渡表示期間の間、表示特性を、輝度レベルを通常より低く抑える過渡表示特性に切り替える。例えば、画素統計情報は、例えば、閾値レベルを越える画素の画像全体に対する割合を示す情報であり、この割合が閾値より大きいとき、過渡表示期間の間、表示特性を、輝度レベルを通常より低く抑える過渡表示特性に切り替えるようにされる。これにより、画像の切り替えがあるときの視覚的な安全性を確保することが可能となる。
【００３４】
受信装置２００は、所定の画像データの符号化画像データ（ビデオストリーム）に画素統計情報や過渡表示期間の情報が挿入されている場合には、それを抽出して使用できる。これにより、画素統計情報や過渡表示期間を算出する手間を省くことが可能となる。また、受信装置２００は、所定の動画像データを処理して画素統計情報や過渡表示期間の情報を得て使用することもできる。
【００３５】
受信装置２００は、輝度レベルを通常より低く抑える過渡表示特性とするために、所定の動画像データに適用される電光変換の特性を過渡特性にするか、表示デバイスのバックライトの輝度レベルを通常より低く抑えるか、あるいはそれらの双方を行う。例えば、複数段階の過渡表示特性が利用され、過渡表示期間の間それらが順に適用される。これにより、過渡表示特性から通常表示特性への移行をスムーズに行うことが可能となる。
【００３６】
受信装置２００は、所定の画像データの符号化画像データ（ビデオストリーム）に、電光変換の過渡特性の情報が挿入されている場合には、それを抽出して使用できる。これにより、受信装置２００に電光変換の過渡特性の情報を備えていない場合であっても、所定の動画像データに適用される電光変換の特性を過渡特性にして、輝度レベルを通常より低く抑える過渡表示特性とすることが可能となる。
【００３７】
「画像切り替えの態様」
ここで、受信装置２００において、画像の切り替えが行われる場合の種々の態様について説明する。
【００３８】
（１）チャネル切り替え時
図２は、チャネル切り替えにより画像がチャネルＡのものからチャネルＢのものに切り替えられる場合の例を示している。この例では、切り替え後のチャネルＢの画像が制御対象であり、切り替え後の過渡表示期間（ＴＴｈ）の間、電光変換特性が過渡特性（ＴＲＴＦ）とされ、表示画像の輝度レベルが通常より低く抑えられる。また、過渡表示期間（ＴＴｈ）が経過した後は、電光変換特性は通常のＨＤＲ電光変換特性（ＨＤＲ  ＥＯＴＦ）とされ、画像の輝度レベルが通常より低く抑えられることが解除される。
【００３９】
この例では、過渡表示期間がＴ１，Ｔ２，Ｔ３の各期間に分割され、それぞれの期間において、Ｔｙｐｅ１，Ｔｙｐｅ２，Ｔｙｐｅ３の過渡特性（ＴＲＴＦ）が適用され、表示画像の輝度レベルが順次高くなっていくように制御されている。これにより、過渡特性から通常の変換特性（ＨＤＲ  ＥＯＴＦ）への移行がスムーズに行われている。なお、図示の例において、「ＨＤＲ」の文字を含む矩形枠は、一個のピクチャ（フレーム）を示すものではなく、Ｔ１，Ｔ２，Ｔ３の各期間内の一個あるいは複数個のピクチャ（フレーム）をまとめて示すものである。このことは、以下の同様の図においても同じである。
【００４０】
図３は、ＩＴＵ−Ｒ  ＢＴ．２１００（ＨＬＧ）における通常の変換特性（ＨＤＲ  ＥＯＴＦ）であるＨＤＲ特性（ＨＬＧ）とＴｙｐｅ１，Ｔｙｐｅ２，Ｔｙｐｅ３の過渡特性（ＴＲＴＦ）の一例を示している。
【００４１】
横軸は伝送符号値を示し、縦軸は出力輝度レベルを示している。曲線ａはＨＤＲ特性（ＨＬＧ）を示しており、曲線ｂはＳＤＲ特性を示している。伝送符号値が０から分岐レベルＢまでは、ＨＤＲ特性（ＨＬＧ）はＳＤＲ特性と同一軌道となる。また、ＨＤＲ特性（ＨＬＧ）において伝送符号値の最大レベルＭに対応する出力輝度レベルはＰ２であり、ＳＤＲ特性において伝送符号値の最大レベルＭに対応する出力輝度レベルはＰ１である。
【００４２】
Ｔｙｐｅ１，Ｔｙｐｅ２，Ｔｙｐｅ３の過渡特性（ＴＲＴＦ）では、伝送符号値が閾値レベルＨから最大レベルＭまでの特性がＨＤＲ特性（ＨＬＧ）とは異なる変更範囲とされている。ここで、閾値レベルＨに対応する出力輝度レベルはＰ１´である。Ｔｙｐｅ１の過渡特性では、伝送符号値の最大レベルＭに対応する出力輝度レベルがＳＤＲ特性と同じくＰ１とされている。また、Ｔｙｐｅ２の過渡特性では、伝送符号値の最大レベルＭに対応する出力輝度レベルがＰ１a(Ｐ１＜Ｐ１ａ＜Ｐ２)とされている。また、Ｔｙｐｅ３の過渡特性では、伝送符号値の最大レベルＭに対応する出力輝度レベルがＰ１ｂ(Ｐ１ａ＜Ｐ１ｂ＜Ｐ２)とされている。
【００４３】
図４は、ＩＴＵ−Ｒ  ＢＴ．２１００（ＰＱ）における通常の変換特性（ＨＤＲ  ＥＯＴＦ）であるＨＤＲ特性（ＰＱ）とＴｙｐｅ１，Ｔｙｐｅ２，Ｔｙｐｅ３の過渡特性（ＴＲＴＦ）の一例を示している。
【００４４】
横軸は伝送符号値を示し、縦軸は出力輝度レベルを示している。曲線ａはＨＤＲ特性（ＰＱ）を示しており、曲線ｂはＳＤＲ特性を示している。ＨＤＲ特性（ＰＱ）において伝送符号値の最大レベルＭに対応する出力輝度レベルはＰ２であり、ＳＤＲ特性において伝送符号値の最大レベルＭに対応する出力輝度レベルはＰ１である。
【００４５】
Ｔｙｐｅ１，Ｔｙｐｅ２，Ｔｙｐｅ３の過渡特性（ＴＲＴＦ）では、伝送符号値が閾値レベルＨから最大レベルＭまでの特性がＨＤＲ特性（ＰＱ）とは異なる変更範囲とされている。ここで、閾値レベルＨに対応する出力輝度レベルはＰ１´である。Ｔｙｐｅ１の過渡特性では、伝送符号値の最大レベルＭに対応する出力輝度レベルがＳＤＲ特性と同じくＰ１とされている。また、Ｔｙｐｅ２の過渡特性では、伝送符号値の最大レベルＭに対応する出力輝度レベルがＰ１a(Ｐ１＜Ｐ１ａ＜Ｐ２)とされている。また、Ｔｙｐｅ３の過渡特性では、伝送符号値の最大レベルＭに対応する出力輝度レベルがＰ１ｂ(Ｐ１ａ＜Ｐ１ｂ＜Ｐ２)とされている。
【００４６】
なお、過渡表示期間（ＴＴｈ）の全体に一つの過渡特性、例えばＴｙｐｅ１の過渡特性を適用することも考えられる。
【００４７】
（２）チャネル切り替え時（ブラック/グレイ画経由）
図５は、チャネル切り替えにより画像がチャネルＡのものからチャネルＢのものに切り替えられる場合であって、切り替え直後の一定期間はブラックあるいはグレイ画が表示される例を示している。この例でも、切り替え後のチャネルＢの画像が制御対象であり、ブラックあるいはグレイ画が表示された後の過渡表示期間（ＴＴｈ）の間、電光変換特性が過渡特性（ＴＲＴＦ）とされ、表示画像の輝度レベルが通常より低く抑えられる。また、過渡表示期間（ＴＴｈ）が経過した後は、電光変換特性は通常のＨＤＲ電光変換特性（ＨＤＲ  ＥＯＴＦ）とされ、表示画像の輝度レベルが通常より低く抑えられることが解除される。
【００４８】
この例では、過渡表示期間がＴ１，Ｔ２，Ｔ３の各期間に分割され、それぞれの期間において、Ｔｙｐｅ１，Ｔｙｐｅ２，Ｔｙｐｅ３の過渡特性（ＴＲＴＦ）が適用され（図３、図４参照）、表示画像の輝度レベルが順次高くなっていくように制御されている。これにより、過渡特性から通常の変換特性（ＨＤＲ  ＥＯＴＦ）への移行がスムーズに行われている。なお、過渡表示期間（ＴＴｈ）の全体に一つの過渡特性、例えばＴｙｐｅ１の過渡特性を適用することも考えられる。
【００４９】
（３）システム起動時、ランダムアクセス時
図６は、システム起動（パワーオン）、あるいはランダムアクセスにより画像が切り替えられる場合の例を示している。この例では、システム起動（パワーオン）後、あるいはランダムアクセス後の画像が制御対象であり、切り替え後の過渡表示期間（ＴＴｈ）の間、電光変換特性が過渡特性（ＴＲＴＦ）とされ、表示画像の輝度レベルが通常より低く抑えられる。また、過渡表示期間（ＴＴｈ）が経過した後は、電光変換特性は通常のＨＤＲ電光変換特性（ＨＤＲ  ＥＯＴＦ）とされ、表示画像の輝度レベルが通常より低く抑えられることが解除される。
【００５０】
この例では、過渡表示期間がＴ１，Ｔ２，Ｔ３の各期間に分割され、それぞれの期間において、Ｔｙｐｅ１，Ｔｙｐｅ２，Ｔｙｐｅ３の過渡特性（ＴＲＴＦ）が適用され（図３、図４参照）、表示画像の輝度レベルが順次高くなっていくように制御されている。これにより、過渡特性から通常の変換特性（ＨＤＲ  ＥＯＴＦ）への移行がスムーズに行われている。なお、過渡表示期間（ＴＴｈ）の全体に一つの過渡特性、例えばＴｙｐｅ１の過渡特性を適用することも考えられる。
【００５１】
（４）システム起動時、ランダムアクセス時（ブラック/グレイ画経由）
図７は、システム起動（パワーオン）、あるいはランダムアクセスにより画像が切り替えられる場合であって、切り替え直後の一定期間はブラックあるいはグレイ画が表示される例を示している。この例でも、システム起動（パワーオン）後、あるいはランダムアクセス後の画像が制御対象であり、ブラックあるいはグレイ画が表示された後の過渡表示期間（ＴＴｈ）の間、電光変換特性が過渡特性（ＴＲＴＦ）とされ、表示画像の輝度レベルが通常より低く抑えられる。また、過渡表示期間（ＴＴｈ）が経過した後は、電光変換特性は通常のＨＤＲ電光変換特性（ＨＤＲ  ＥＯＴＦ）とされ、表示画像の輝度レベルが通常より低く抑えられることが解除される。
【００５２】
この例では、過渡表示期間がＴ１，Ｔ２，Ｔ３の各期間に分割され、それぞれの期間において、Ｔｙｐｅ１，Ｔｙｐｅ２，Ｔｙｐｅ３の過渡特性（ＴＲＴＦ）が適用され（図３、図４参照）、表示画像の輝度レベルが順次高くなっていくように制御されている。これにより、過渡特性から通常の変換特性（ＨＤＲ  ＥＯＴＦ）への移行がスムーズに行われている。なお、過渡表示期間（ＴＴｈ）の全体に一つの過渡特性、例えばＴｙｐｅ１の過渡特性を適用することも考えられる。
【００５３】
（５）ＣＭ/番組本編の切り替わり時
図８は、ＣＭと番組本編の切り替わりで画像が切り替えられる場合の例を示している。この場合のＣＭは、例えば受信側において任意に挿入されるものを想定している。この例では、ＣＭから番組本編へ、あるいは番組本編からＣＭへの切り替わり後の画像が制御対象であり、切り替わり後の過渡表示期間（ＴＴｈ）の間、電光変換特性が過渡特性（ＴＲＴＦ）とされ、表示画像の輝度レベルが通常より低く抑えられる。また、過渡表示期間（ＴＴｈ）が経過した後は、電光変換特性は通常の変換特性（ＨＤＲ  ＥＯＴＦ）とされ、表示画像の輝度レベルが通常より低く抑えられることが解除される。
【００５４】
この例では、過渡表示期間がＴ１，Ｔ２，Ｔ３の各期間に分割され、それぞれの期間において、Ｔｙｐｅ１，Ｔｙｐｅ２，Ｔｙｐｅ３の過渡特性（ＴＲＴＦ）が適用され（図３、図４参照）、表示画像の輝度レベルが順次高くなっていくように制御されている。これにより、過渡特性から通常の変換特性（ＨＤＲ  ＥＯＴＦ）への移行がスムーズに行われている。なお、過渡表示期間（ＴＴｈ）の全体に一つの過渡特性、例えばＴｙｐｅ１の過渡特性を適用することも考えられる。
【００５５】
「送信装置の構成」
図９は、送信装置１００の構成例を示している。この送信装置１００は、制御部１０１と、光電変換部１０２と、ＲＧＢ/ＹＣｂＣｒ変換部１０３と、統計情報処理部１０４と、ビデオエンコーダ１０５と、コンテナエンコーダ１０６と、送信部１０７を有している。制御部１０１は、ＣＰＵ（Central Processing Unit）を備えて構成されており、送信装置１００の各部の動作を制御する。
【００５６】
光電変換部１０２は、動画像データとしての例えば高コントラストカメラ出力、すなわちＨＤＲ（ハイダイナミックレンジ）画像データＶｈに対して、ＨＤＲ光電変換特性（ＨＬＧカーブ、ＰＱカーブなど）を適用して光電変換をする。ＲＧＢ/ＹＣｂＣｒ変換部１０３は、光電変換後の画像データをＲＧＢドメインからＹＣｂＣｒドメインに変換する。この場合、ＲＧＢ/ＹＣｂＣｒ変換部１０３は、色空間情報に基づいて、色空間に対応した変換式を用いて変換をする。
【００５７】
統計情報処理部１０４は、ＲＧＢ/ＹＣｂＣｒ変換部１０３で得られた画像データを処理して、画素統計情報を算出する。この場合、統計情報処理部１０４は、ピクチャ（フレーム）毎に、閾値レベル（TH_high）を越える画素レベルの画素の画像全体に対する割合αを算出する。
【００５８】
図１０は、画像全体についてのヒストグラムの一例を示している。このヒストグラムにおいて、縦軸は度数であり、横軸は階級としての画素レベルである。閾値レベル（TH_high）を越える画素レベルに対する度数の総和（ハッチング部分）を全ての画素レベルに対する度数の総和で割り算することで、割合αが算出される。
【００５９】
統計情報処理部１０４は、以下の数式（１）に基づいて、閾値レベル（TH_high）を越える画素レベルの画素の割合αを算出する。この数式（１）において、右辺の分数式の分母は画像全体の画素の個数を示し、その分子は閾値レベル（TH_high）を越える輝度レベルを持つ画素の個数を示している。
【数１】
2019073990.tif 000003
【００６０】
また、統計情報処理部１０４は、送信装置１００が割合αの情報と共に送信する過渡表示期間ＴＴｈの情報も算出する。この場合、まず、以下の数式（２）により、割合αに所定の係数Ｔｃを掛け算することで、過渡表示期間ＴＴｒを求める。そして、統計情報処理部１０４は、ＴＴｒが時間の単位（ｓｅｃ）に相当するものであるので、これをビデオのフレームレートに換算して、フレームカウント値で表現される過渡表示期間ＴＴｈを得る。
【数２】
2019073990.tif 000004
【００６１】
統計情報処理部１０４は、割合αおよび過渡表示期間ＴＴｈの情報を制御部１０１に送る。ビデオエンコーダ１０５は、ＲＧＢ/ＹＣｂＣｒ変換部１０３で得られた画像データに対して、例えば、ＭＰＥＧ４−ＡＶＣあるいはＨＥＶＣなどの符号化を施して符号化ビデオデータを得、この符号化ビデオデータを含むビデオストリーム（ビデオエレメンタリストリーム）を得る。
【００６２】
この際、ビデオエンコーダ１０５は、アクセスユニット（ＡＵ）のＳＰＳ ＮＡＬユニットのＶＵＩ（video usability information）の領域に、ＨＤＲのストリームであること、さらにはＨＤＲ電光変換特性などを示すメタ情報を挿入する。また、ビデオエンコーダ１０５は、アクセスユニット（ＡＵ）の“ＳＥＩｓ”の部分に、上述のスタティスチカル・インフォメーション・ＳＥＩメッセージとトランジション・トランスファー・ファンクション・ＳＥＩメッセージを挿入する。
【００６３】
なお、画素統計情報や過渡表示期間の情報を含むスタティスチカル・インフォメーション・ＳＥＩメッセージは、毎ピクチャのアクセスユニットに挿入されるが、電光変換の過渡特性の情報を含むトランジション・トランスファー・ファンクション・ＳＥＩメッセージは、必ずしも毎ピクチャのアクセスユニットに挿入される必要はなく、例えば、図１１に示すように、例えばシーンの開始あるいはＧＯＰ（Group of Pictures）に相当するピクチャのアクセスユニットに挿入される。
【００６４】
また、電光変換の過渡特性の情報については、後述するコンテナのレイヤに挿入することも可能である。例えば、ＭＰＥＧ−２  ＴＳやＭＭＴの場合には電光変換の過渡特性の情報はデスクリプタに挿入され、ＭＰ４（ＩＳＯＢＭＦＦ）の場合には電光変換の過渡特性の情報をｍｏｏｆ内のボックスに、あるいはＤＡＳＨによる配信の場合には、ＭＰＤ内に「supplemental property descriptor」よって挿入される。
【００６５】
スタティスチカル・インフォメーション・ＳＥＩメッセージは、上述したように、画素統計情報や過渡表示期間の情報を含むものである。図１２（ａ）は、スタティスチカル・インフォメーション・ＳＥＩメッセージの構造例(Syntax)を示している。図１２（ｂ）は、その構造例における主要な情報の内容（Semantics）を示している。
【００６６】
「EOTF Type」の４ビットフィールドは、ＥＯＴＦの種類を示す。例えば、“１”は「ＩＴＵ-Ｒ Ｒｅｃ． ＢＴ.７０９(ｇａｍｍａ)」を示し、“２”は「ＩＴＵ-Ｒ Ｒｅｃ． ＢＴ.２１００ ＰＱ」を示し、“３”は「ＩＴＵ-Ｒ Ｒｅｃ．ＢＴ.２１００ ＨＬＧ」を示す。
【００６７】
「threshold_level」の１６ビットフィールドは、統計情報の対象となる画素レベル値の下限閾値、つまり閾値レベル（TH_high）を示す。「high_level_target_ratio」の８ビットフィールドは、過渡特性対象の画素の画像全体に対する割合αの値を示す。この割合に１００を掛けた値がパーセント値となる。「transition_period」の１６ビットフィールドは、フレームカウント値で表現される過渡表示期間ＴＴｈを示す。
【００６８】
また、トランジション・トランスファー・ファンクション・ＳＥＩメッセージは、上述したように、電光変換の過渡特性の情報を含むものである。図１３（ａ）は、トランジション・トランスファー・ファンクション・ＳＥＩメッセージの構造例(Syntax)を示している。図１３（ｂ）は、その構造例における主要な情報の内容（Semantics）を示している。
【００６９】
「number_of_transition_types」の８ビットフィールドは、過渡特性のタイプの数を示す。この数の分だけ、過渡特性の情報が繰り返し存在する。
【００７０】
「transitionTF Type」の４ビットフィールドは、過渡特性の種類を示す。例えば、“１”はＴｙｐｅ１を示し、“２”はＴｙｐｅ２を示し、“３”はＴｙｐｅ３を示す（図３、図４参照）。「minimum_level」の１６ビットフィールドは、対象となるＥＯＴＦを変更する曲線の最小入力画素レベルを示す（図３、図４の伝送符号値における閾値レベルＨ参照）。「maximum_level」の１６ビットフィールドは、対象となるＥＯＴＦを変更する曲線の最大入力画素レベルを示す（図３、図４の伝送符号値における最大レベルＭ参照）。
【００７１】
「trace_pivot_size」の１６ビットフィールドは、過渡特性をトレースする点の数を示す。この点の数だけ、「input_level(j)」の１６ビットフィールドおよび「output_level(j)」の１６ビットフィールドが繰り返し存在する。「input_level(j)」のフィールドは、過渡特性の入力画素レベルを示す。「output_level(j)」のフィールドは、その入力レベルに対応する過渡特性の出力値を示す。
【００７２】
図９に戻って、コンテナエンコーダ１０６は、ビデオエンコーダ１０５で生成されたビデオストリームを含むコンテナ、例えばＭＰＥＧ−２  ＴＳ、ＭＭＴ、ＭＰ４（ＩＳＯＢＭＦＦ）を配信ストリームとして生成する。この際、コンテナのレイヤに、上述のトランジション・トランスファー・ファンクション・ＳＥＩメッセージに含まれると同様の電光変換の過渡特性の情報が挿入されてもよい。送信部１０７は、コンテナエンコーダ１０６で得られた配信ストリームを、放送あるいは通信で、受信装置２００に送信する。
【００７３】
図９に示す送信装置１００の動作を簡単に説明する。例えば、高コントラストカメラ出力であるＨＤＲ画像データＶｈが光電変換部１０２に供給される。この光電変換部１０３では、ＨＤＲ画像データＶｈにＨＤＲ光電変換特性で光電変換が施され、ＨＤＲ ＯＥＴＦで映像制作された映像素材としての画像データが得られる。
【００７４】
光電変換部１０２で得られたＨＤＲの画像データは、ＲＧＢ/ＹＣｂＣｒ変換部１０３に供給される。このＲＧＢ/ＹＣｂＣｒ変換部１０３では、光電変換部１０２で得られた画像データが、ＲＧＢドメインからＹＣｂＣｒドメインに変換される。ＹＣｂＣｒドメインに変換された画像データは、統計情報処理部１０４およびビデオエンコーダ１０５に供給される。
【００７５】
統計情報処理部１０４では、ＲＧＢ/ＹＣｂＣｒ変換部１０３で得られた画像データが処理されて、画素統計情報が算出される。この実施の形態では、ピクチャ（フレーム）毎に、閾値レベル（TH_high）を越える画素レベルの画素の画像全体に対する割合αが算出される（数式（１）参照）。
【００７６】
また、統計情報処理部１０４では、送信装置１００が割合αの情報と共に送信する過渡表示期間ＴＴｈの情報も算出される。この場合、割合αに所定の係数Ｔｃが掛け算されることで時間単位の過渡表示期間ＴＴｒが求められ（数式（２）参照）、その後にビデオのフレームレートに換算されて、フレームカウント値で表現される過渡表示期間ＴＴｈが得られる。統計情報処理部１０４で算出された割合αの情報と過渡表示期間ＴＴｈの情報は、制御部１０１に送られる。
【００７７】
ビデオエンコーダ１０５では、ＲＧＢ/ＹＣｂＣｒ変換部１０３で得られた画像データに対して、例えば、ＭＰＥＧ４−ＡＶＣあるいはＨＥＶＣなどの符号化が施されて符号化ビデオデータが得られ、この符号化ビデオデータが含まれるビデオストリーム（ビデオエレメンタリストリーム）が生成される。
【００７８】
この際ビデオエンコーダ１０５では、アクセスユニット（ＡＵ）のＳＰＳ ＮＡＬユニットのＶＵＩ（video usability information）の領域に、ＨＤＲのストリームであること、さらにはＨＤＲ電光変換特性などを示すメタ情報を挿入する。また、ビデオエンコーダ１０５では、アクセスユニット（ＡＵ）の“ＳＥＩｓ”の部分に、上述した割合αの情報と過渡表示期間ＴＴｈの情報が含まれるスタティスチカル・インフォメーション・ＳＥＩメッセージ（図１２（ａ）参照）が挿入され、さらに電光変換の過渡特性の情報が含まれるトランジション・トランスファー・ファンクション・ＳＥＩメッセージ（図１３（ａ）参照）が挿入される。
【００７９】
ビデオエンコーダ１０５で得られたビデオストリームは、コンテナエンコーダ１０６に供給される。コンテナエンコーダ１０６では、ビデオストリームを含むコンテナ、例えばＭＰＥＧ−２  ＴＳ、ＭＭＴ、ＭＰ４（ＩＳＯＢＭＦＦ）が配信ストリームとして生成される。この配信ストリームは、送信部１０７により、放送あるいは通信により、受信装置２００に送信される。
【００８０】
「受信装置の構成例」
図１４は、受信装置２００の構成例を示している。受信装置２００は、制御部２０１と、受信部２０２と、コンテナデコーダ２０３と、ビデオデコーダ２０４と、統計情報処理部２０５と、ＹＣｂＣｒ/ＲＧＢ変換部２０６と、電光変換部２０７と、表示デバイス２０８を有している。
【００８１】
制御部２０１は、ＣＰＵ（Central Processing Unit）を備えて構成され、制御プログラムに基づいて、受信装置２００の各部の動作を制御する。受信部２０２は、送信装置１００から放送あるいは通信により、配信ストリームを受信する。受信部２００は、記録再生部２０２ａを備えており、受信した配信ストリーム（ＭＰＥＧ−２  ＴＳ、ＭＭＴ、ＭＰ４（ＩＳＯＢＭＦＦ）など）を直接出力するか、あるいは記録再生部２０２ａを経由して出力する。記録再生部２０２ａを経由する場合には、ランダムアクセスが可能となる。また、受信部２０２は、チャネル切り替えの機能を有する。
【００８２】
コンテナデコーダ２０３は、受信部２０２から出力される配信ストリーム（ＭＰＥＧ−２  ＴＳ、ＭＭＴ、ＭＰ４（ＩＳＯＢＭＦＦ）など）からビデオストリームを抽出する。
【００８３】
ビデオデコーダ２０４は、コンテナデコーダ２０３で抽出されるビデオストリームに対して復号化処理を行って、ＨＤＲの画像データを得る。また、ビデオデコーダ２０４は、ビデオストリームを構成する各アクセスユニットに挿入されているパラメータセットやＳＥＩメッセージを抽出し、制御部２０１に送る。上述したように、送信装置１００において、ビデオストリームにスタティスチカル・インフォメーション・ＳＥＩメッセージ（図１２（ａ）参照）やトランジション・トランスファー・ファンクション・ＳＥＩメッセージ（図１３（ａ）参照）が挿入される場合、それらも制御部２０１に送られる。
【００８４】
制御部２０１は、ＳＰＳ ＮＡＬユニットのＶＵＩの領域のメタ情報から、ＨＤＲのストリームであること、ＨＤＲ電光変換特性情報などを認識する。また、制御部２０１は、表示デバイス側の表示デバイス（ディスプレイ）の輝度表示能力をチェックしたうえで、輝度表示可能な範囲内で過渡期間の電光変換特性を選択する。その際、制御部２０１は、上述のスタティスチカル・インフォメーション・ＳＥＩメッセージから、画素統計情報（閾値レベル（TH_high）を越える画素レベルの画素の画像全体に対する割合αの情報）および過渡表示期間ＴＴｈの情報を取得する。また、制御部２０１は、上述のトランジション・トランスファー・ファンクション・ＳＥＩメッセージから電光変換の過渡特性の情報を取得する。
【００８５】
統計情報処理部２０５は、上述のスタティスチカル・インフォメーション・ＳＥＩメッセージから画素統計情報（閾値レベル（TH_high）を越える画素レベルの画素の画像全体に対する割合αの情報）および過渡表示期間ＴＴｈの情報を取得できなかったとき、図９の送信装置１００における統計情報処理部１０４と同様に、ビデオデコーダ２０４で得られた画像データを処理してそれらの情報を算出する。統計情報処理部２０５は、算出した割合αの情報および過渡表示期間ＴＴｈの情報を制御部２０１に送る。
【００８６】
ＹＣｂＣｒ/ＲＧＢ変換部２０６は、ビデオデコーダ２０４で得られた画像データを、ＹＣｂＣｒ（輝度・色差）ドメインからＲＧＢドメインに変換する。電光変換部２０７は、ＹＣｂＣｒ/ＲＧＢ変換部２０６でＲＧＢドメインに変換された画像データに、電光変換特性を適用して、表示用画像データを得る。表示デバイス２０８は、例えば、液晶ディスプレイ（ＬＣＤ）であって、表示用画像データによる画像を表示する。
【００８７】
電光変換部２０７は、制御部２０１の制御のもと、常には、通常のＨＤＲ電光変換特性（ＨＤＲ  ＥＯＴＦ）を適用するが、チャネル切り替え時、システム起動時、ランダムアクセス時、ＣＭ/番組本編の切り替わり時などのノンリニア再生によって画像の切り替えが行われる場合には、切り替え後の過渡表示期間（ＴＴｈ）の間、過渡特性（ＴＲＴＦ）を適用し、表示画像の輝度レベルを通常より低く抑える（図２、図５〜図８参照）。
【００８８】
この場合、過渡特性として、１つ以上の過渡特性を用いられる。この過渡特性の情報としては、受信装置２００が予め備えているものが利用され、また、受信装置２００が備えていない場合には、上述したようにトランジション・トランスファー・ファンクション・ＳＥＩメッセージから取得された電光変換の過渡特性の情報が利用される。
【００８９】
電光変換部２０７は、制御部２０１の制御のもと、複数の過渡特性がある場合には、過渡表示期間を複数期間（各期間は等しくなくてもよい）に分割し、複数の段階の過渡特性を順に適用する。これにより、過渡特性から通常のＨＤＲ電光変換特性（ＨＤＲ  ＥＯＴＦ）への移行をスムーズに行うことができる。上述の図２、図５〜図８の例は、３つの過渡特性が用意されている場合を示している。
【００９０】
図１５のフローチャートは、ノンリニア再生によって画像の切り替えが行われる場合における制御部２０１による電光変換部２０７の制御手順の一例を示している。ノンリニア制御部２０１は、ステップＳＴ１において、処理を開始する。次に、制御部２０１は、ステップＳＴ２において、過渡特性に切り替え後の経過時間を示すフレームカウントＴＰを０にリセットし、画像切り替え後の最初のピクチャ（フレーム）の処理のために、ステップＳＴ３の処理に移る。
【００９１】
このステップＳＴ３において、制御部２０１は、上述したようにスタティスチカル・インフォメーション・ＳＥＩメッセージから取得される、あるいは統計情報処理部２０５で算出される割合α、つまり閾値レベル（TH_high）を越える画素レベルの画素の画像全体に対する割合αが、高輝度の占める比率の閾値ＲＴｈより大きいか否かを判断する。ここで、閾値ＲＴｈは、受信装置２００において、予め設定されるものである。
【００９２】
割合αが閾値ＲＴｈより大きいと判断される場合、制御部２０１は、ステップＳＴ４の処理に進む。このステップＳＴ４において、上述したようにスタティスチカル・インフォメーション・ＳＥＩメッセージから取得された、あるいは統計情報処理部２０５で算出された過渡表示期間ＴＴｈがフレームカウントＴＰより大きいか否かを判断する。なお、ステップＳＴ３で使用される割合αはそれぞれのピクチャ（フレーム）で得られたものとされるが、ステップＳＴ４で使用される過渡表示期間ＴＴｈは画像切り替え後の最初のピクチャ（フレーム）で得られたものに固定される。
【００９３】
過渡表示期間ＴＴｈがフレームカウントＴＰより大きいと判断される場合、制御部２０１は、ステップＳＴ５において、現在のピクチャ（フレーム）における電光変換部２０７で適用される電光変換特性を過渡特性とする。このステップＳＴ５では、複数の過渡特性が存在する場合には、過渡表示期間ＴＴｈを分割した複数の各期間において、複数の段階の過渡特性が順に適用されていく。
【００９４】
ステップＳＴ５の処理の後、制御部２０１は、ステップＳＴ６でフレームカウントＴＰをインクリメントした後に、次のピクチャ（フレーム）の処理のために、ステップＳＴ３に戻り、上述と同様の制御処理をする。
【００９５】
また、ステップＳＴ３で割合αが閾値ＲＴｈより大きくないと判断される場合、あるいはステップＳＴ４で過渡表示期間ＴＴｈがフレームカウントＴＰより大きくないと判断される場合、制御部２０１は、ステップＳＴ７の処理に移る。このステップＳＴ７において、制御部２０１は、現在のピクチャ（フレーム）以降における電光変換部２０７で適用される電光変換特性を通常のＨＤＲ電光変換特性とし、ステップＳＴ８において、処理を終了する。
【００９６】
図１４に示す受信装置２００の動作を簡単に説明する。受信部２０２では、送信装置１００から放送あるいは通信により、配信ストリーム（ＭＰＥＧ−２  ＴＳ、ＭＭＴ、ＭＰ４（ＩＳＯＢＭＦＦ）など）が受信され、直接あるいは記録再生部２０２ａを経由して出力される。
【００９７】
受信部２０２から出力された配信ストリームは、コンテナデコーダ２０３に供給される。コンテナデコーダ２０３では、配信ストリームからビデオストリームが抽出される。また、コンテナデコーダ２０３では、コンテナのレイヤに含まれる種々の情報が抽出され、制御部２０１に送られる。コンテナのレイヤに電光変換の過渡特性の情報が含まれている場合には、この情報も抽出されて、制御部２０１に送られる。
【００９８】
コンテナデコーダ２０３で抽出されたビデオストリームは、ビデオデコーダ２０４に供給される。ビデオデコーダ２０４では、ビデオストリームに対して復号化処理が施され、ＨＤＲの画像データが得られる。
【００９９】
また、ビデオデコーダ２０４では、ビデオストリームを構成する各アクセスユニットに挿入されているパラメータセットやＳＥＩメッセージが抽出され、制御部２０１に送られる。このように抽出されるＳＥＩメッセージには、ビデオストリームにスタティスチカル・インフォメーション・ＳＥＩメッセージ（図１２（ａ）参照）やトランジション・トランスファー・ファンクション・ＳＥＩメッセージ（図１３（ａ）参照）も含まれる。
【０１００】
ビデオデコーダ２０４で得られたＨＤＲの画像データは、統計情報処理部２０５およびＹＣｂＣｒ/ＲＧＢ変換部２０６に供給される。統計情報処理部２０５では、スタティスチカル・インフォメーション・ＳＥＩメッセージから画素統計情報（閾値レベル（TH_high）を越える画素レベルの画素の画像全体に対する割合αの情報）および過渡表示期間ＴＴｈの情報を取得できなかった場合、画像データが処理されてそれらの情報が算出されて、制御部２０１に送られる。
【０１０１】
ＹＣｂＣｒ/ＲＧＢ変換部２０６では、ビデオデコーダ２０４で得られたＨＤＲの画像データが、ＹＣｂＣｒ（輝度・色差）ドメインからＲＧＢドメインに変換される。このようにＲＧＢドメインに変換され画像データは、電光変換部２０７に供給される。電光変換部２０７では、画像データに、電光変換特性が適用されて、表示用画像データが得られる。そして、表示デバイス２０８には、この表示用画像データによる画像が表示される。
【０１０２】
電光変換部２０７では、制御部２０１の制御のもと、常には、通常のＨＤＲ電光変換特性（ＨＤＲ  ＥＯＴＦ）が適用されるが、チャネル切り替え時、システム起動時、ランダムアクセス時、ＣＭ/番組本編の切り替わり時などのノンリニア再生によって画像の切り替えが行われる場合には、切り替え後の過渡表示期間（ＴＴｈ）の間、過渡特性（ＴＲＴＦ）が適用され、表示画像の輝度レベルを通常より低く抑えられる（図２、図５〜図８参照）。
【０１０３】
なお、上述の受信装置２００の説明では、チャネル切り替え時、システム起動時、ランダムアクセス時、ＣＭ/番組本編の切り替わり時などのノンリニア再生によって画像の切り替えが行われる場合における電光変換部２０７の変換特性の制御に当たって、切り替え前の画像（との関連性を考慮しない例を示した。
【０１０４】
切り替え前の画像との関連性を考慮する場合の制御の一例を説明する。図１６（ａ）は前のピクチャ画像（切り替え前の画像）を示し、図１６（ｂ）は切り替え後の現在のピクチャの画像を示している。例えば、統計情報処理部２０５は、それぞれの画像にＲ１，Ｒ２，Ｒ３の共通領域を設定し、それぞれの領域における前および現在のピクチャの画像の閾値レベル（TH_high）を越える画素レベルの画素の割合α（上述の数式（１）参照）を計算する。
【０１０５】
そして、制御部２０１は、各領域における前のピクチャの割合αと現在のピクチャの割合αとの比率差が範囲Ｇｃ内に収まるか否かを判断し、その判断結果に基づいて、電光変換部２０７で適用すべき変換特性を制御する。
【０１０６】
図１７のフローチャートは、ノンリニア再生によって画像の切り替えが行われる場合における制御部２０１による電光変換部２０３の制御手順の他の一例を示している。ノンリニア制御部２０１は、ステップＳＴ１０において、処理を開始する。次に、ステップＳＴ１１において、過渡特性に切り替え後の経過時間を示すフレームカウントＴＰを０にリセットし、画像切り替え後の最初のピクチャ（フレーム）の処理のために、ステップＳＴ１２の処理に移る。
【０１０７】
このステップＳＴ１２において、制御部２０１は、領域Ｒ３の比率差が範囲Ｇｃを越えており、現在のピクチャの割合αが高いか否かを判断する。肯定判断のとき、制御部２０１は、ステップＳＴ１３において、領域Ｒ２の比率差が範囲Ｇｃを越えており、現在のピクチャの割合αが高いか否かを判断する。肯定判断のとき、制御部２０１は、ステップＳＴ１５の処理に進む。
【０１０８】
ステップＳＴ１２で否定判断のとき、あるいはステップＳＴ１３で否定判断のとき、制御部２０１は、ステップＳＴ１４において、領域Ｒ１の比率差が範囲Ｇｃを越えており、現在のピクチャの割合αが高いか否かを判断する。肯定判断のとき、制御部２０１は、ステップＳＴ１５の処理に進む。
【０１０９】
ステップＳＴ１５において、制御部２０１は、過渡表示期間ＴＴｈがフレームカウントＴＰより大きいか否かを判断する。なお、ステップＳＴ１２、ステップＳＴ１３、ステップＳＴ１４で使用される割合αはそれぞれのピクチャ（フレーム）で得られたものとされるが、ステップＳＴ１５で使用される過渡表示期間ＴＴｈは画像切り替え後の最初のピクチャ（フレーム）で得られたものに固定される。
【０１１０】
過渡表示期間ＴＴｈがフレームカウントＴＰより大きいと判断される場合、制御部２０１は、ステップＳＴ１６において、現在のピクチャ（フレーム）における電光変換部２０７で適用される電光変換特性を過渡特性とする。このステップＳＴ１６では、複数の過渡特性が存在する場合には、過渡表示期間ＴＴｈを分割した複数の各期間において、複数の段階の過渡特性が順に適用されていく。
【０１１１】
ステップＳＴ１６の処理の後、制御部２０１は、ステップＳＴ１７でフレームカウントＴＰをインクリメントした後に、次のピクチャ（フレーム）の処理のために、ステップＳＴ１２に戻り、上述と同様の制御処理をする。
【０１１２】
また、ステップＳＴ１４で否定判断のとき、あるいはステップＳＴ１６で過渡表示期間ＴＴｈがフレームカウントＴＰより大きくないと判断される場合、制御部２０１は、ステップＳＴ１８の処理に移る。このステップＳＴ１８において、制御部２０１は、現在のピクチャ（フレーム）以降における電光変換部２０７で適用される電光変換特性を通常のＨＤＲ変換特性とし、ステップＳＴ１９において、処理を終了する。
【０１１３】
なお、上述の図１４の受信装置２００では、過渡表示期間における表示特性を、輝度レベルを通常より低く抑える過渡表示特性にするために、電光変換部２０７で適用される電光変換の特性を過渡特性にするものであった。しかし、表示デバイス２０８におけるＬＥＤバックライトを制御することで、同様の過渡表示特性を達成することも考えられる。
【０１１４】
図１８は、バックライト制御により過渡表示特性を達成する受信装置２００Ａの構成例を示している。この図１８において、図１４と対応する部分には同一符号を付し、その詳細説明は省略する。
【０１１５】
この受信装置２００Ａにおいて、電光変換部２０７では、過渡特性対象である閾値レベル（TH_high）を越える画素レベルの画素の位置情報Ｐｏが得られ、この位置情報Ｐｏは制御部２０１に送られる。そして、制御部２０１により、過渡表示期間における表示特性を、輝度レベルを通常より低く抑える過渡表示特性にするために、位置情報Ｐｏが示す位置の画素に対応したＬＥＤの発光レベルが低下するように、表示デバイス２０８のＬＥＤバックライト部２０８ａが制御される。
【０１１６】
この場合の制御部２０１の制御は、例えば、上述の図１５のフローチャートのステップＳＴ５における電光変換を過渡特性にする制御を、位置情報Ｐｏが示す位置の画素に対応したＬＥＤの発光レベルを低下させる制御に置き換えたものとなる。
【０１１７】
なお、上述したバックライト制御によって過渡表示特性を達成することを単独で行ってもよいが、電光変換特性を過渡特性にする制御と併用することも考えられる。
【０１１８】
上述したように、図１に示す送受信システム１０において、送信装置１００は、画像の切り替えがあるときに表示特性を過渡表示期間の間輝度レベルを通常より低く抑える過渡表示特性に切り替えるか判断するための画素統計情報を、画像データを符号化して得られたビデオストリームに挿入して送信するものである。そのため、受信側において、画像の切り替えがあるときに表示特性を過渡表示期間の間輝度レベルを通常より低く抑える過渡表示特性に切り替えるか判断するために画素統計情報を算出する手間を省くことが可能となる。
【０１１９】
また、図１に示す送受信システム１０において、受信装置２００は、画像の切り替えがあるとき、画像の画素統計情報に基づいて、過渡表示期間の間、表示特性を、輝度レベルを通常より低く抑える過渡表示特性に切り替えるものである。そのため、画像の切り替えがあるときの視覚的な安全性を確保することが可能となる。
【０１２０】
＜２．変形例＞
なお、上述の実施の形態においては、送信装置１００と受信装置２００からなる送受信システム１０の例を示したが、本技術を適用し得る送受信システムの構成は、これに限定されるものではない。受信装置２００の部分が、例えばＨＤＭＩ（High-Definition Multimedia Interface）などのデジタルインタフェース（マルチメディアインタフェース）で接続されたセットトップボックスおよびモニタ（ディスプレイ）とされる場合も考えられる。なお、「ＨＤＭＩ」は登録商標である。
【０１２１】
図１９は、送受信システム１０Ａの構成例を示している。この送受信システム１０Ａは、送信装置１００と、セットトップボックス（ＳＴＢ）２００-1（２００-1´）と、モニタ２００-2（２００-2´）を有する構成となっている。セットトップボックス（ＳＴＢ）２００-1（２００-1´）とモニタ２００-2（２００-2´）はＨＤＭＩで接続されている。
【０１２２】
送信装置１００は、図１に示す送受信システム１０における送信装置１００（図９参照）と同じものであるので、その説明は省略する。セットトップボックス２００-1は、送信装置１００から放送あるいは通信により送られてくる配信ストリーム（ＭＰＥＧ−２  ＴＳ、ＭＭＴ、ＭＰ４（ＩＳＯＢＭＦＦ）など）を受信する。モニタ２００-2（２００-2´）は、セットトップボックス（ＳＴＢ）２００-1（２００-1´）からＨＤＭＩで送られてくるＨＤＲの画像データによる画像を表示する。
【０１２３】
図２０は、セットトップボックス２００-1の構成例を示している。この図２０において、図１４、図１８と対応する部分には同一符号を付して示している。このセットトップボックス２００-1は、制御部２０１-1と、受信部２０２と、コンテナデコーダ２０３と、ビデオデコーダ２０４と、ＨＤＭＩ送信部２０９を有している。このセットトップボックス２００-1は、図１８の受信装置２００Ａにおける受信部２０２、コンテナデコーダ２０３およびビデオデコーダ２０４の部分を含むものである。
【０１２４】
制御部２０１-1は、セットトップボックス２００-1の各部の動作を制御する。受信部２０２、コンテナデコーダ２０３およびビデオデコーダ２０４は、図１８の受信装置２００Ａにおける受信部２０２、コンテナデコーダ２０３およびビデオデコーダ２０４と同様に構成され、同様に動作するので、その説明は省略する。
【０１２５】
ＨＤＭＩ送信部２０９は、ＨＤＭＩに準拠した通信により、ＨＤＭＩ伝送路を介して、モニタ２００-2に、ビデオデコーダ２０４で得られたＨＤＲの画像データと、上述のスタティスチカル・インフォメーション・ＳＥＩメッセージ（図１２（ａ）参照）から取得された画素統計情報（閾値レベル（TH_high）を越える画素レベルの画素の画像全体に対する割合αの情報）および過渡表示期間ＴＴｈの情報と、上述のトランジション・トランスファー・ファンクション・ＳＥＩメッセージ（図１３（ａ）参照）から取得された電光変換の過渡特性の情報を送る。
【０１２６】
この場合、画素統計情報である割合αの情報、過渡表示期間ＴＴｈの情報および電光変換の過渡特性の情報は、ＨＤＲの画像データのブランキング期間に挿入されて送信される。ここでは、画素統計情報である割合αの情報、過渡表示期間ＴＴｈの情報の送信のために、新規定義するトランジショナル・ディスプレイ・コントロール・ＨＤＭＩインフォフレーム（Transitional Display Control HDMI Info Frame）が使用される。また、電光変換の過渡特性の情報の送信のために、新規定義するトランジション・トランスファー・ファンクション・ＨＤＭＩインフォフレーム（Transition Transfer Function HDMI Info Frame）が使用される。
【０１２７】
図２１（ａ）は、トランジショナル・ディスプレイ・コントロール・ＨＤＭＩインフォフレームの構造例（Syntax）を示し、図２１（ｂ）は、その構造例における主要な情報の内容（Semantics）を示している。このインフォフレームの最初の３バイトはヘッダ部分であり、インフォフレームタイプ、バージョンナンバー、データバイトのバイト長の情報が配置されている。
【０１２８】
データバイト１（Data Byte 1）の第７ビットから第４ビットに「EOTF Type」の４ビット情報が配置されている。この４ビット情報は、ＥＯＴＦの種類を示す。例えば、“１”は「ＩＴＵ-Ｒ Ｒｅｃ． ＢＴ.７０９(ｇａｍｍａ)」を示し、“２”は「ＩＴＵ-Ｒ Ｒｅｃ．ＢＴ.２１００ ＰＱ」を示し、“３”は「ＩＴＵ-Ｒ Ｒｅｃ． ＢＴ.２１００ ＨＬＧ」を示す。
【０１２９】
データバイト２（Data Byte 2）およびデータバイト３（Data Byte 3）に「threshold_level」の１６ビット情報が配置されている。この１６ビット情報は、統計情報の対象となる画素レベル値の下限閾値、つまり閾値レベル（TH_high）を示す。
【０１３０】
データバイト４（Data Byte 4）に「high_level_target_ratio」の８ビット情報が配置されている。この８ビット情報は、過渡特性対象の画素の画像全体に対する割合αの値を示す。この割合に１００を掛けた値がパーセント値となる。さらに、データバイト５（Data Byte 5）およびデータバイト６（Data Byte 6）に「transition_period」の１６ビット情報が配置されている。この１６ビット情報は、フレームカウント値で表現される過渡表示期間ＴＴｈを示す。
【０１３１】
図２２（ａ）は、トランジション・トランスファー・ファンクション・ＨＤＭＩインフォフレームの構造例（Syntax）を示し、図２２（ｂ）は、その構造例における主要な情報の内容（Semantics）を示している。このインフォフレームの最初の３バイトはヘッダ部分であり、インフォフレームタイプ、バージョンナンバー、データバイトのバイト長の情報が配置されている。
【０１３２】
データバイト１（Data Byte 1）に「number_of_transition_types」の８ビット情報が配置されている。この８ビット情報は、過渡特性のタイプの数を示す。この数の分だけ、過渡特性の情報が繰り返し存在する。データバイト２（Data Byte 2）の第７ビットから第４ビットに「transitionTF Type」の４ビット情報が配置されている。この４ビット情報は、過渡特性の種類を示す。例えば、“１”はＴｙｐｅ１を示し、“２”はＴｙｐｅ２を示し、“３”はＴｙｐｅ３を示す（図３、図４参照）。
【０１３３】
データバイト３（Data Byte 3）およびデータバイト４（Data Byte 4）に「minimum_level」の１６ビット情報が配置されている。この１６ビット情報は、対象となるＥＯＴＦを変更する曲線の最小入力画素レベルを示す（図３、図４の伝送符号値における閾値レベルＨ参照）。データバイト５（Data Byte 5）およびデータバイト６（Data Byte 6）に「maximum_level」の１６ビット情報が配置されている。この１６ビット情報は、対象となるＥＯＴＦを変更する曲線の最大入力画素レベルを示す（図３、図４の伝送符号値における最大レベルＭ参照）。
【０１３４】
データバイト7（Data Byte 7）およびデータバイト８（Data Byte 8）に「trace_pivot_size」の１６ビット情報が配置されている。この１６ビット情報は、過渡特性をトレースする点の数を示す。この点の数だけ、「input_level(j)」の１６ビット情報および「output_level(j)」の１６ビット情報が繰り返し存在する。
【０１３５】
データバイト９（Data Byte 9）およびデータバイト１０（Data Byte 10）に「input_level(j)」の１６ビット情報が配置されている。この１６ビット情報は、過渡特性の入力画素レベルを示す。データバイト１１（Data Byte 11）およびデータバイト１２（Data Byte 12）に「input_level(j)」の１６ビット情報が配置されている。この１６ビット情報は、その入力レベルに対応する過渡特性の出力値を示す。
【０１３６】
データバイト１３（Data Byte 13）以後は、図示は省略しているが、「trace_pivot_size」に依存したデータバイト９〜データバイト１２の繰り返しであり、また、「number_of_transition_types」に依存したデータバイト２〜データバイト１２の繰り返しとなる。
【０１３７】
図２３は、図２０のセットトップボックス２００-1に接続されるモニタ２００-2の構成例を示している。この図２３において、図１４、図１８と対応する部分には同一符号を付して示している。このモニタ２００-2は、制御部２０１-2と、ＨＤＭＩ受信部２１０と、統計情報処理部２０５と、ＹＣｂＣｒ/ＲＧＢ変換部２０６と、電光変換部２０７と、表示デバイス２０８を有している。
【０１３８】
制御部２０１-2は、モニタ２００-2の各部の動作を制御する。ＨＤＭＩ受信部２１０は、ＨＤＭＩに準拠した通信により、セットトップボックス２００-1から、ＨＤＭＩ伝送路を介して、ＨＤＲの画像データと、画素統計情報（閾値レベル（TH_high）を越える画素レベルの画素の画像全体に対する割合αの情報）および過渡表示期間ＴＴｈの情報、および電光変換の過渡特性の情報を受信する。各情報は、制御部２０１-2に送られる。
【０１３９】
統計情報処理部２０５は、ＨＤＭＩ受信部２１０で、画素統計情報としての割合αの情報および過渡表示期間ＴＴｈの情報を受け取ることができなかったとき、ＨＤＭＩ受信部２１０で受信されたＨＤＲの画像データを処理してそれらの情報を算出する。統計情報処理部２０５は、算出した割合αおよび過渡表示期間ＴＴｈの情報を制御部２０-2に送る。
【０１４０】
ＹＣｂＣｒ/ＲＧＢ変換部２０６は、ＨＤＭＩ受信部２１０で得られたＨＤＲの画像データを、ＹＣｂＣｒ（輝度・色差）ドメインからＲＧＢドメインに変換する。電光変換部２０７は、ＹＣｂＣｒ/ＲＧＢ変換部２０６でＲＧＢドメインに変換された画像データに、電光変換特性を適用して、表示用画像データを得る。表示デバイス２０８は、例えば、液晶ディスプレイ（ＬＣＤ）であって、表示用画像データによる画像を表示する。
【０１４１】
電光変換部２０７は、制御部２０１-2´の制御のもと、常には、通常のＨＤＲ電光変換特性（ＨＤＲ  ＥＯＴＦ）を適用するが、チャネル切り替え時、システム起動時、ランダムアクセス時、ＣＭ/番組本編の切り替わり時などのノンリニア再生によって画像の切り替えが行われる場合には、切り替え後の過渡表示期間（ＴＴｈ）の間、過渡特性（ＴＲＴＦ）を適用し、表示画像の輝度レベルを通常より低く抑える（図２、図５〜図８参照）。
【０１４２】
また、電光変換部２０７では、過渡特性対象である閾値レベル（TH_high）を越える画素レベルの画素の位置情報Ｐｏが得られ、この位置情報Ｐｏは制御部２０１-2に送られる。そして、制御部２０１-2により、過渡表示期間における表示特性を、輝度レベルを通常より低く抑える過渡表示特性にするために、位置情報Ｐｏが示す位置の画素に対応したＬＥＤの発光レベルが低下するように、表示デバイス２０８のＬＥＤバックライト部２０８ａが制御される。
【０１４３】
なお、このモニタ２００-2では、電光変換特性を過渡特性に制御することと、バックライトの輝度レベルを抑制する制御をすることの双方によって、過渡表示期間で、表示画像の輝度レベルを低減して視覚安全性を確保するようにしているが、いずれか一方の制御のみを行うことも考えられる。
【０１４４】
図２４は、セットトップボックス２００-1´の構成例を示している。この図２４において、図１４、図１８、図２０と対応する部分には同一符号を付して示している。このセットトップボックス２００-1は、制御部２０１-1´と、受信部２０２と、コンテナデコーダ２０３と、ビデオデコーダ２０４と、統計情報処理部２０５と、ＨＤＭＩ送信部２０９を有している。このセットトップボックス２００-1´は、図１８の受信装置２００Ａにおける受信部２０２、コンテナデコーダ２０３、ビデオデコーダ２０４および統計情報処理部２０５の部分を含むものである。
【０１４５】
制御部２０１-1´は、セットトップボックス２００-1´の各部の動作を制御する。受信部２０２、コンテナデコーダ２０３、ビデオデータ２０４および統計情報処理部２０５は、図１８の受信装置２００Ａにおける受信部２０２、コンテナデコーダ２０３、ビデオデコーダ２０４および統計情報処理部２０５と同様に構成され、同様に動作するので、その説明は省略する。
【０１４６】
ＨＤＭＩ送信部２０９は、ＨＤＭＩに準拠した通信により、ＨＤＭＩ伝送路を介して、モニタ２００-2´に、ビデオデコーダ２０４で得られたＨＤＲの画像データと、画素統計情報（閾値レベル（TH_high）を越える画素レベルの画素の画像全体に対する割合αの情報）および過渡表示期間ＴＴｈの情報と、電光変換の過渡特性の情報を送る。
【０１４７】
この場合、画素統計情報である割合αの情報、過渡表示期間ＴＴｈの情報および電光変換の過渡特性の情報は、ＨＤＲの画像データのブランキング期間に挿入されて送信される。ここでは、画素統計情報である割合αの情報、過渡表示期間ＴＴｈの情報の送信のために、新規定義するトランジショナル・ディスプレイ・コントロール・ＨＤＭＩインフォフレーム（図２１（ａ）参照）が使用される。また、電光変換の過渡特性の情報の送信のために、新規定義するトランジション・トランスファー・ファンクション・ＨＤＭＩインフォフレーム（図２２（ａ）参照）が使用される。
【０１４８】
図２５は、図２４のセットトップボックス２００-1´に接続されるモニタ２００-2´の構成例を示している。この図２４において、図１４、図１８、図２３と対応する部分には同一符号を付して示している。このモニタ２００-2´は、制御部２０１-2´と、ＨＤＭＩ受信部２１０と、ＹＣｂＣｒ/ＲＧＢ変換部２０６と、電光変換部２０７と、表示デバイス２０８を有している。
【０１４９】
制御部２０１-2´は、モニタ２００-2´の各部の動作を制御する。ＨＤＭＩ受信部２１０は、ＨＤＭＩに準拠した通信により、セットトップボックス２００-1´から、ＨＤＭＩ伝送路を介して、ＨＤＲの画像データと、画素統計情報（閾値レベル（TH_high）を越える画素レベルの画素の画像全体に対する割合αの情報）および過渡表示期間ＴＴｈの情報、および電光変換の過渡特性の情報を受信する。各情報は、制御部２０１-2´に送られる。
【０１５０】
ＹＣｂＣｒ/ＲＧＢ変換部２０６は、ＨＤＭＩ受信部２１０で得られたＨＤＲの画像データを、ＹＣｂＣｒ（輝度・色差）ドメインからＲＧＢドメインに変換する。電光変換部２０７は、ＹＣｂＣｒ/ＲＧＢ変換部２０６でＲＧＢドメインに変換された画像データに、電光変換特性を適用して、表示用画像データを得る。表示デバイス２０８は、例えば、液晶ディスプレイ（ＬＣＤ）であって、表示用画像データによる画像を表示する。
【０１５１】
電光変換部２０７は、制御部２０１-2の制御のもと、常には、通常のＨＤＲ電光変換特性（ＨＤＲ  ＥＯＴＦ）を適用するが、チャネル切り替え時、システム起動時、ランダムアクセス時、ＣＭ/番組本編の切り替わり時などのノンリニア再生によって画像の切り替えが行われる場合には、切り替え後の過渡表示期間（ＴＴｈ）の間、過渡特性（ＴＲＴＦ）を適用し、表示画像の輝度レベルを通常より低く抑える（図２、図５〜図８参照）。
【０１５２】
また、電光変換部２０７では、過渡特性対象である閾値レベル（TH_high）を越える画素レベルの画素の位置情報Ｐｏが得られ、この位置情報Ｐｏは制御部２０１-2´に送られる。そして、制御部２０１-2により、過渡表示期間における表示特性を、輝度レベルを通常より低く抑える過渡表示特性にするために、位置情報Ｐｏが示す位置の画素に対応したＬＥＤの発光レベルが低下するように、表示デバイス２０８のＬＥＤバックライト部２０８ａが制御される。
【０１５３】
なお、このモニタ２００-2´では、電光変換特性を過渡特性に制御することと、バックライトの輝度レベルを抑制する制御をすることの双方によって、過渡表示期間で、表示画像の輝度レベルを低減して視覚安全性を確保するようにしているが、いずれか一方の制御のみを行うことも考えられる。
【０１５４】
また、本技術は、以下のような構成を取ることもできる。
（１）画像の切り替えがあるとき、上記画像の画素統計情報に基づいて、過渡表示期間の間、表示特性を、輝度レベルを通常より低く抑える過渡表示特性に切り替える制御部を備える
画像処理装置。
（２）上記画素統計情報は、閾値レベルを越える画素の画像全体に対する割合を示す情報である
前記（１）に記載の画像処理装置。
（３）上記制御部は、画像データを処理して得られる上記画素統計情報を利用する
前記（１）または（２）に記載の画像処理装置。
（４）上記制御部は、上記画素統計情報に基づいて得られる上記過渡表示期間の情報を利用する
前記（１）から（３）のいずれかに記載の画像処理装置。
（５）上記制御部は、符号化画像データから抽出された上記画素統計情報または上記過渡表示期間の情報を利用する
前記（１）または（２）に記載の画像処理装置。
（６）上記過渡表示特性として複数段階の過渡表示特性が存在し、
上記制御部は、上記過渡表示期間の間、上記複数段階の過渡表示特性を順に適用する
前記（１）から（５）のいずれかに記載の画像処理装置。
（７）上記制御部は、上記過渡表示期間の間、画像データに適用される電光変換の特性を過渡特性にする
前記（１）から（６）のいずれかに記載の画像処理装置。
（８）上記制御部は、上記過渡表示期間の間、表示デバイスのバックライトの輝度レベルを通常より低く抑える
前記（１）から（７）のいずれかに記載の画像処理装置。
（９）制御部が、画像の切り替えがあるとき、上記画像の画素統計情報に基づいて、過渡表示期間の間、表示特性を、輝度レベルを通常より低く抑える過渡表示特性に切り替える
画像処理方法。
（１０）画像データを符号化して得られたビデオストリームを送信する送信部と、
上記ビデオストリームに、画像の切り替えがあるときに表示特性を過渡表示期間の間輝度レベルを通常より低く抑える過渡表示特性に切り替えるか判断するための画素統計情報を挿入する情報挿入部を備える
送信装置。
（１１）上記画素統計情報は、閾値レベルを越える画素の画像全体に対する割合を示す情報である
前記（１０）に記載の送信装置。
（１２）上記情報挿入部は、上記ビデオストリームに、上記過渡表示期間の情報をさらに挿入する
前記（１０）または（１１）に記載の送信装置。
（１３）上記情報挿入部は、上記ビデオストリームに、上記過渡表示期間の間画像データに適用される電光変換の過渡特性の情報をさらに挿入する
前記（１０）から（１２）のいずれかに記載の送信装置。
（１４）上記電光変換の過渡特性の情報は、通常の電光変換特性のうちの変更範囲に対応したテーブル情報である
前記（１３）に記載の送信装置。
（１５）上記過渡特性として複数段階の過渡特性が存在する
前記（１３）または（１４）に記載の送信装置。
（１６）送信部が、画像データを符号化して得られたビデオストリームを送信し、
情報挿入部が上記ビデオストリームに、画像の切り替えがあるときに表示特性を過渡表示期間の間輝度レベルを通常より低く抑える過渡表示特性に切り替えるか判断するための画素統計情報を挿入する
送信方法。
（１７）画像の切り替えがあるときに表示特性を過渡表示期間の間輝度レベルを通常より低く抑える過渡表示特性に切り替えるか判断するための画素統計情報を画像データと共に送信するデジタルインタフェース部を備える
送信装置。
（１８）上記デジタルインタフェース部は、上記過渡表示期間の間画像データに適用される電光変換の過渡特性の情報をさらに送信する
前記（１７）に記載の送信装置。
（１９）上記電光変換の過渡特性の情報は、通常の電光変換特性のうちの変更範囲に対応したテーブル情報である
前記（１８）に記載の送信装置。
（２０）画像の切り替えがあるときに表示特性を過渡表示期間の間輝度レベルを通常より低く抑える過渡表示特性に切り替えるか判断するための画素統計情報を画像データと共に受信するデジタルインタフェース部を備える
受信装置。
【０１５５】
本技術の主な特徴は、ノンリニア再生によって画像の切り替えがあるとき、その画像の画素統計情報に基づいて、過渡表示期間の間、表示特性を、輝度レベルを通常より低く抑える過渡表示特性に切り替えることで、画像の切り替えがあるときの視覚的な安全性を確保可能としたことである（図２、図３、図１４、図１５参照）。
【符号の説明】
【０１５６】
１０，１０Ａ・・・送受信システム
１００・・・送信装置
１０１・・・制御部
１０２・・・光電変換部
１０３・・・ＲＧＢ/ＹＣｂＣｒ変換部
１０４・・・統計情報処理部
１０５・・・ビデオエンコーダ
１０６・・・コンテナエンコーダ
１０７・・・送信部
２００，２００Ａ・・・受信装置
２００-1，２００-1´・・・セットトップボックス
２００-2，２００-2´・・・モニタ
２０１，２０１-1，２０１-1´，２０１-2，２０１-2´・・・制御部
２０２・・・受信部
２０２ａ・・・記録再生部
２０３・・・コンテナデコーダ
２０４・・・ビデオデコーダ
２０５・・・統計情報処理部
２０６・・・ＹＣｂＣｒ/ＲＧＢ変換部
２０７・・・電光変換部
２０８・・・表示デバイス
２０８ａ・・・ＬＥＤバックライト部
２０９・・・ＨＤＭＩ送信部
２１０・・・ＨＤＭＩ受信部
【図１】
2019073990.tif 000005
【図２】
2019073990.tif 000006
【図３】
2019073990.tif 000007
【図４】
2019073990.tif 000008
【図５】
2019073990.tif 000009
【図６】
2019073990.tif 000010
【図７】
2019073990.tif 000011
【図８】
2019073990.tif 000012
【図９】
2019073990.tif 000013
【図１０】
2019073990.tif 000014
【図１１】
2019073990.tif 000015
【図１２】
2019073990.tif 000016
【図１３】
2019073990.tif 000017
【図１４】
2019073990.tif 000018
【図１５】
2019073990.tif 000019
【図１６】
2019073990.tif 000020
【図１７】
2019073990.tif 000021
【図１８】
2019073990.tif 000022
【図１９】
2019073990.tif 000023
【図２０】
2019073990.tif 000024
【図２１】
2019073990.tif 000025
【図２２】
2019073990.tif 000026
【図２３】
2019073990.tif 000027
【図２４】
2019073990.tif 000028
【図２５】
2019073990.tif 000029
【国際調査報告】
2019073990.tif 000030
2019073990.tif 000031
2019073990.tif 000032
2019073990.tif 000033
2019073990.tif 000034